(57)【特許請求の範囲】
【請求項１】
プリコーディング情報取得方法であって、
ネットワーク装置によりＮ個のサブコードブックを使用することにより、Ｎ個のプリコードされたパイロットグループを得るために、Ｋ個のパイロットを有するパイロットグループを別個にプリコードするステップであって、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きい、ステップと、
前記ネットワーク装置により、Ｗ個のリソースブロック（ＲＢ）グループの各々の中で、プリコードされたパイロットグループを端末装置へ送信するステップであって、Ｗは正整数である、ステップと、
前記ネットワーク装置により、Ｗ個のプリコードされたパイロットグループのうちの任意の１つについて前記端末装置によりフィードバックされるプリコーディング情報を受信するステップと、
を含み、
前記ネットワーク装置により、Ｗ個のリソースブロックＲＢグループの各々の中でプリコードされたパイロットグループを端末装置へ送信するステップは、
同じサブコードブックを使用してプリコードを実行することにより、前記Ｗ個のＲＢグループのうちの少なくとも２つの中で前記ネットワーク装置により前記端末装置へ送信されるプリコードされたパイロットグループを取得するステップ、を含む、
取得方法。
【請求項２】
前記Ｗ個のプリコードされたパイロットグループのうちの任意の１つについてフィードバックされる前記プリコーディング情報は、パイロットインデックスを有し、前記パイロットインデックスは、前記プリコードされたパイロットグループに含まれるＫ個のプリコードされたパイロットのうちのプリコードされたパイロットのインデックスである、請求項１に記載の取得方法。
【請求項３】
前記Ｗ個のプリコードされたパイロットグループのうちの前記任意の１つについてフィードバックされる前記プリコーディング情報は、プリコーディングベクトルインデックスを有し、前記プリコーディングベクトルインデックスは、前記プリコードされたパイロットグループに含まれるＫ個のプリコードされたパイロットのうちのプリコードされたパイロットに対応するプリコーディングベクトルのインデックスである、請求項１に記載の取得方法。
【請求項４】
前記ネットワーク装置により、前記端末装置にＫの値を通知するステップ、
を更に含む請求項１乃至３のいずれか一項に記載の取得方法。
【請求項５】
前記ネットワーク装置は、前記Ｗ個のプリコードされたパイロットグループのうちの前記任意の１つについて前記端末装置によりフィードバックされた前記プリコーディング情報に従い、前記Ｎ個のサブコードブックを更新する、請求項１乃至４のいずれか一項に記載の取得方法。
【請求項６】
前記Ｎ個のサブコードブックのうちの任意の２つのサブコードブックは異なる、請求項１乃至５のいずれか一項に記載の取得方法。
【請求項７】
ＷはＮより大きい、請求項１に記載の取得方法。
【請求項８】
前記送信するステップは、各々のダウンリンクサブフレームの中のＷ個のＲＢグループの各々において実行される、請求項１乃至７のいずれか一項に記載の取得方法。
【請求項９】
プリコーディング情報取得方法であって、
端末装置によりＷ個のリソースブロックＲＢグループのうちの任意の１つの中で、ネットワーク装置により送信されるプリコードされたパイロットグループを受信するステップであって、前記プリコードされたパイロットグループは、前記ネットワーク装置によりＮ個のサブコードブックのうちの任意の１つを用いて、Ｋ個のパイロットを有するパイロットグループをプリコードすることにより得られ、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きく、Ｗは正整数である、ステップと、
前記端末装置により、前記任意の受信したプリコードされたパイロットグループに従い、前記ネットワーク装置へ前記任意のプリコードされたパイロットグループのプリコーディング情報をフィードバックするステップと、
前記端末装置により前記受信したプリコードされたパイロットグループに含まれる前記Ｋ個のプリコードされたパイロットに従い、前記Ｋ個のプリコードされたパイロットに対応するＫ個の等価なチャネル値を決定するステップであって、等価なチャネル値は、前記端末装置により受信されるプリコードされたパイロットのプリコードされるべきパイロットに対する比、又は前記端末装置により受信されるプリコードされたパイロットのプリコードされるべきパイロットとチャネルノイズとの和に対する比である、ステップと、
前記端末装置により、前記Ｋ個の等価なチャネル値の中の最大値を決定するステップと、
前記端末装置により、前記最大値に対応するプリコードされたパイロットが、前記任意のプリコードされたパイロットグループに含まれる前記Ｋ個のプリコードされたパイロットのうちのプリコードされたパイロットであることを決定するステップと、
を含む取得方法。
【請求項１０】
前記プリコードされたパイロットグループの前記プリコーディング情報は、パイロットインデックスを有し、前記パイロットインデックスは、前記プリコードされたパイロットグループに含まれるＫ個のプリコードされたパイロットのうちのプリコードされたパイロットのインデックスである、請求項９に記載の取得方法。
【請求項１１】
前記プリコードされたパイロットグループの前記プリコーディング情報は、プリコーディングベクトルインデックスを有し、前記プリコーディングベクトルインデックスは、前記プリコードされたパイロットグループに含まれるＫ個のプリコードされたパイロットのうちのプリコードされたパイロットに対応するプリコーディングベクトルのインデックスである、請求項９に記載の取得方法。
【請求項１２】
前記プリコードされるべきパイロットは、前記端末装置に予め格納される、請求項９に記載の取得方法。
【請求項１３】
前記取得方法は、
前記端末装置により、前記ネットワーク装置により送信されるＫの値を受信するステップ、
を更に含み、端末装置により、Ｗ個のリソースブロックＲＢグループのうちの任意の１つの中で、前記ネットワーク装置により送信されるプリコードされたパイロットグループを受信するステップは、
前記端末装置により前記Ｗ個のＲＢグループのうちの任意のＲＢグループの中で、Ｋ個のプリコードされたパイロットを含み及び前記ネットワーク装置により送信されるパイロットグループを受信するステップ、
を含む、請求項９乃至１２のいずれか一項に記載の取得方法。
【請求項１４】
装置であって、前記装置は、ネットワーク装置であり、
Ｎ個のサブコードブックを使用することにより、Ｎ個のプリコードされたパイロットグループを得るために、Ｋ個のパイロットを有するパイロットグループを別個にプリコードするよう構成されるプリコーディングモジュールであって、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きい、プリコーディングモジュールと、
Ｗ個のリソースブロックＲＢグループの各々の中で、プリコードされたパイロットグループを端末装置へ送信するよう構成される送信モジュールであって、Ｗは正整数である、送信モジュールと、
Ｗ個のプリコードされたパイロットグループのうちの任意の１つについて、前記端末装置によりフィードバックされるプリコーディング情報を受信するよう構成される受信モジュールと、
を含み、
前記Ｗ個のＲＢグループのうちの少なくとも２つの中で前記送信モジュールにより前記端末装置へ送信されるプリコードされたパイロットグループは、同じサブコードブックを用いてプリコードを実行することにより得られる、装置。
【請求項１５】
前記Ｗ個のプリコードされたパイロットグループのうちの前記任意の１つについてフィードバックされる前記プリコーディング情報は、パイロットインデックスを有し、前記パイロットインデックスは、前記プリコードされたパイロットグループに含まれるＫ個のプリコードされたパイロットのうちのプリコードされたパイロットのインデックスである、請求項１４に記載の装置。
【請求項１６】
前記Ｗ個のプリコードされたパイロットグループのうちの各々のプリコードされたパイロットグループについてフィードバックされる前記プリコーディング情報は、プリコーディングベクトルインデックスを有し、前記プリコーディングベクトルインデックスは、前記プリコードされたパイロットグループに含まれるＫ個のプリコードされたパイロットのうちのプリコードされたパイロットに対応するプリコーディングベクトルのインデックスである、請求項１４に記載の装置。
【請求項１７】
前記送信モジュールは、前記端末装置にＫの値を通知するよう更に構成される、請求項１４乃至１６のいずれか一項に記載の装置。
【請求項１８】
前記装置は、前記Ｗ個のプリコードされたパイロットグループのうちの前記任意の１つについて前記端末装置によりフィードバックされた前記プリコーディング情報に従い、前記Ｎ個のサブコードブックを更新するよう構成される更新モジュールを更に有する、請求項１４乃至１７のいずれか一項に記載の装置。
【請求項１９】
前記Ｎ個のサブコードブックのうちの任意の２つのサブコードブックは異なる、請求項１４乃至１８のいずれか一項に記載の装置。
【請求項２０】
ＷはＮより大きい、請求項１４に記載の装置。
【請求項２１】
前記送信モジュールは、各々のダウンリンクサブフレームの中のＷ個のＲＢグループの各々において、前記プリコードされたパイロットグループを前記端末装置へ送信する、請求項１４乃至２０のいずれか一項に記載の装置。
【請求項２２】
装置であって、前記装置は、端末装置であり、
Ｗ個のリソースブロックＲＢグループのうちの任意の１つの中で、ネットワーク装置により送信されるプリコードされたパイロットグループを受信するよう構成される受信モジュールであって、前記プリコードされたパイロットグループは、前記ネットワーク装置によりＮ個のサブコードブックのうちの任意の１つを用いて、Ｋ個のパイロットを有するパイロットグループをプリコードすることにより得られ、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きく、Ｗは正整数である、受信モジュールと、
前記任意の受信したプリコードされたパイロットグループに従い、前記ネットワーク装置へ前記任意のプリコードされたパイロットグループのプリコーディング情報をフィードバックするよう構成される送信モジュールと、
前記受信したプリコードされたパイロットグループに含まれる前記Ｋ個のプリコードされたパイロットに従い、前記Ｋ個のプリコードされたパイロットに対応するＫ個の等価なチャネル値を決定するよう構成される決定モジュールであって、等価なチャネル値は、前記端末装置により受信されるプリコードされたパイロットのプリコードされるべきパイロットに対する比、又は前記端末装置により受信されるプリコードされたパイロットのプリコードされるべきパイロットとチャネルノイズとの和に対する比である、決定モジュールと、
を含み、
前記決定モジュールは、前記Ｋ個の等価なチャネル値の中の最大値を決定するよう構成され、
前記決定モジュールは、前記最大値に対応するプリコードされたパイロットが、前記任意のプリコードされたパイロットグループに含まれる前記Ｋ個のプリコードされたパイロットのうちのプリコードされたパイロットであることを決定するよう構成される、
装置。
【請求項２３】
前記プリコードされたパイロットグループの前記プリコーディング情報は、パイロットインデックスを有し、前記パイロットインデックスは、前記プリコードされたパイロットグループに含まれるＫ個のプリコードされたパイロットのうちのプリコードされたパイロットのインデックスである、請求項２２に記載の装置。
【請求項２４】
前記プリコードされたパイロットグループの前記プリコーディング情報は、プリコーディングベクトルインデックスを有し、前記プリコーディングベクトルインデックスは、前記プリコードされたパイロットグループに含まれるＫ個のプリコードされたパイロットのうちのプリコードされたパイロットに対応するプリコーディングベクトルのインデックスである、請求項２２に記載の装置。
【請求項２５】
前記装置は、前記プリコードされるべきパイロットを予め格納するよう構成される格納モジュールを更に含む請求項２２に記載の装置。
【請求項２６】
前記受信モジュールは、前記ネットワーク装置により送信されるＫの値を受信するよう更に構成され、前記受信モジュールは、前記Ｗ個のＲＢグループのうちの任意のＲＢグループの中で、Ｋ個のプリコードされたパイロットを含み前記ネットワーク装置により送信されるパイロットグループを受信するよう構成される、請求項２２乃至２５のいずれか一項に記載の装置。
【請求項２７】
装置であって、前記装置は、ネットワーク装置であり、
Ｎ個のサブコードブックを使用することにより、Ｎ個のプリコードされたパイロットグループを得るために、Ｋ個のパイロットを有するパイロットグループを別個にプリコードするよう構成されるプロセッサであって、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きい、プロセッサと、
Ｗ個のリソースブロックＲＢグループの各々の中で、プリコードされたパイロットグループを端末装置へ送信するよう構成される送信機であって、Ｗは正整数である、送信機と、
Ｗ個のプリコードされたパイロットグループのうちの任意の１つについて前記端末装置によりフィードバックされるプリコーディング情報を受信するよう構成される受信機と、
を含み、
前記Ｗ個のＲＢグループのうちの少なくとも２つの中で前記送信機により前記端末装置へ送信されるプリコードされたパイロットグループは、同じサブコードブックを用いてプリコードを実行することにより得られる、装置。
【請求項２８】
前記Ｗ個のプリコードされたパイロットグループのうちの前記任意の１つについてフィードバックされる前記プリコーディング情報は、パイロットインデックスを有し、前記パイロットインデックスは、前記プリコードされたパイロットグループに含まれるＫ個のプリコードされたパイロットのうちのプリコードされたパイロットのインデックスである、請求項２７に記載の装置。
【請求項２９】
前記Ｗ個のプリコードされたパイロットグループのうちの各々のプリコードされたパイロットグループについてフィードバックされる前記プリコーディング情報は、プリコーディングベクトルインデックスを有し、前記プリコーディングベクトルインデックスは、前記プリコードされたパイロットグループに含まれるＫ個のプリコードされたパイロットのうちのプリコードされたパイロットに対応するプリコーディングベクトルのインデックスである、請求項２７に記載の装置。
【請求項３０】
前記送信機は、前記端末装置にＫの値を通知するよう更に構成される、請求項２７乃至２９のいずれか一項に記載の装置。
【請求項３１】
前記プロセッサは、前記Ｗ個のプリコードされたパイロットグループのうちの前記任意の１つについて前記端末装置によりフィードバックされた前記プリコーディング情報に従い、前記Ｎ個のサブコードブックを更新するよう更に構成される、請求項２７乃至３０のいずれか一項に記載の装置。
【請求項３２】
前記Ｎ個のサブコードブックのうちの任意の２つのサブコードブックは異なる、請求項２７乃至３１のいずれか一項に記載の装置。
【請求項３３】
ＷはＮより大きい、請求項２７に記載の装置。
【請求項３４】
前記送信機は、各々のダウンリンクサブフレームの中のＷ個のＲＢグループの各々において、前記プリコードされたパイロットグループを前記端末装置へ送信する、請求項２７乃至３３のいずれか一項に記載の装置。
【請求項３５】
装置であって、前記装置は、端末装置であり、
Ｗ個のリソースブロックＲＢグループのうちの任意の１つの中で、ネットワーク装置により送信されるプリコードされたパイロットグループを受信するよう構成される受信機であって、前記プリコードされたパイロットグループは、前記ネットワーク装置によりＮ個のサブコードブックのうちの任意の１つを用いて、Ｋ個のパイロットを有するパイロットグループをプリコードすることにより得られ、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きく、Ｗは正整数である、受信機と、
前記任意の受信したプリコードされたパイロットグループに従い、前記ネットワーク装置へ前記任意のプリコードされたパイロットグループのプリコーディング情報をフィードバックするよう構成される送信機と、
前記受信したプリコードされたパイロットグループに含まれる前記Ｋ個のプリコードされたパイロットに従い、前記Ｋ個のプリコードされたパイロットに対応するＫ個の等価なチャネル値を決定するよう構成されるプロセッサであって、等価なチャネル値は、前記端末装置により受信されるプリコードされたパイロットのプリコードされるべきパイロットに対する比、又は前記端末装置により受信されるプリコードされたパイロットのプリコードされるべきパイロットとチャネルノイズとの和に対する比である、プロセッサと、
を含み、
前記プロセッサは、前記Ｋ個の等価なチャネル値の中の最大値を決定するよう構成され、
前記プロセッサは、前記最大値に対応するプリコードされたパイロットが、前記任意のプリコードされたパイロットグループに含まれる前記Ｋ個のプリコードされたパイロットのうちのプリコードされたパイロットであることを決定するよう構成される、
装置。
【請求項３６】
前記プリコードされたパイロットグループの前記プリコーディング情報は、パイロットインデックスを有し、前記パイロットインデックスは、前記プリコードされたパイロットグループに含まれるＫ個のプリコードされたパイロットのうちのプリコードされたパイロットのインデックスである、請求項３５に記載の装置。
【請求項３７】
前記プリコードされたパイロットグループの前記プリコーディング情報は、プリコーディングベクトルインデックスを有し、前記プリコーディングベクトルインデックスは、前記プリコードされたパイロットグループに含まれるＫ個のプリコードされたパイロットのうちのプリコードされたパイロットに対応するプリコーディングベクトルのインデックスである、請求項３５に記載の装置。
【請求項３８】
前記装置は、前記プリコードされるべきパイロットを予め格納するよう構成されるメモリを更に含む請求項３５に記載の装置。
【請求項３９】
前記受信機は、前記ネットワーク装置により送信されるＫの値を受信するよう更に構成され、前記受信機は、前記Ｗ個のＲＢグループのうちの任意のＲＢグループの中で、Ｋ個のプリコードされたパイロットを含み前記ネットワーク装置により送信されるパイロットグループを受信するよう構成される、請求項３５乃至３８のいずれか一項に記載の装置。
【発明の詳細な説明】
【技術分野】
【０００１】
本発明の実施形態は、情報通信技術の分野に関し、特にプリコーディング情報取得方法及び装置に関する。
【背景技術】
【０００２】
概して、通信システムの中でネットワーク装置が端末装置と通信する処理において、チャネル状態は、ネットワーク装置と端末装置との間の通信の品質に影響を与える。しかしながら、送信リソースの中の異なる送信位置において送信されるデータは、異なるチャネル状態を経験する。端末装置との通信の品質を保証するために、ネットワーク装置は、通常、端末装置へ、スケジューリング可能な各リソースブロックＲＢ（resource  block）の中のダウンリンクタイムスロットで、プリコーディング情報を得るために、チャネル測定のために使用されるパイロットを送信する。具体的には、端末装置は、受信したパイロットに従い、各ＲＢの中のパイロットにより経験されるチャネル状態を決定する。続いて、端末装置は、各ＲＢの中のパイロットにより経験されるチャネル状態に従い構成されたプリコーディングコードブックの中の全てのプリコーディングベクトルをトラバースし、各ＲＢに適切なプリコーディングベクトルを決定し、各ＲＢに適切なプリコーディングベクトルのインデックスをネットワーク装置へフィードバックし、ネットワーク装置が、後に各ＲＢの中で端末装置へデータ情報を送信するとき、適切なプリコーディングベクトルを使用できるようにして、端末装置との通信の品質を保証する。
【０００３】
モバイル通信は絶え間なく発展するので、次世代セルラ通信システムは、システムスループットを向上することを緊急に必要とする。ＭＩＭＯ（Multiple−Input  Multiple−Output、多入力多出力）は、一般的に使用される技術である。つまり、システムスループットを向上するために、多数のアンテナがネットワーク装置側に配置される。相応して、ネットワーク装置側にあるアンテナの数量が増大するにつれ、各ＲＢの中でネットワーク装置により送信されるパイロットの数量も増加し続ける。したがって、パイロット信号は、１回のチャネル測定処理の中で比較的高いオーバヘッドを有し、通信効率は低減される。
【発明の概要】
【０００４】
本発明は、プリコーディング情報取得処理を最適化し及び通信効率を向上するために、プリコーディング情報取得方法及び装置を提供する。
【０００５】
第１の態様によると、本発明の一実施形態は、プリコーディング情報取得方法であって、
ネットワーク装置によりＮ個のサブコードブックを使用することにより、Ｎ個のプリコードされたパイロットグループを得るために、Ｋ個のパイロットを有するパイロットグループを別個にプリコードするステップであって、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きい、ステップと、
前記ネットワーク装置により、Ｗ個のリソースブロックＲＢグループの各々の中で、プリコードされたパイロットグループを端末装置へ送信するステップであって、Ｗは正整数である、ステップと、
前記ネットワーク装置により、Ｗ個のプリコードされたパイロットグループのうちの任意の１つについて、前記端末装置によりフィードバックされるプリコーディング情報を受信するステップと、
を含む取得方法を提供する。
【０００６】
第１の態様を参照し、第１の実装では、Ｗ個のプリコードされたパイロットグループのうちの任意の１つについてフィードバックされるプリコーディング情報は、パイロットインデックスを有し、パイロットインデックスは、プリコードされたパイロットグループに含まれるＫ個のプリコードされたパイロットのうちのプリコードされたパイロットのインデックスである。
【０００７】
第１の態様を参照し、第２の実装では、前記Ｗ個のプリコードされたパイロットグループのうちの各々のプリコードされたパイロットグループについてフィードバックされる前記プリコーディング情報は、プリコーディングベクトルインデックスを有し、前記プリコーディングベクトルインデックスは、前記プリコードされたパイロットグループに含まれるＫ個のプリコードされたパイロットのうちのプリコードされたパイロットに対応するプリコーディングベクトルのインデックスである。
【０００８】
第１の態様又は第１の態様の第１乃至第２の実装のうちのいずれか１つを参照して、第３の実装では、前記方法は、前記ネットワーク装置により、前記端末装置にＫの値を通知するステップを更に有する。
【０００９】
第１の態様又は第１の態様の第１乃至第３の実装のうちのいずれか１つを参照して、第４の実装では、前記ネットワーク装置は、前記Ｗ個のプリコードされたパイロットグループのうちの任意の１つについて前記端末装置によりフィードバックされる前記プリコーディング情報に従い、Ｎ個のサブコードブックを更新する。
【００１０】
第１の態様又は第１の態様の第１乃至第４の実装のうちのいずれか１つを参照して、第５の実装では、Ｎ個のサブコードブックのうちの任意の２つのサブコードブックは異なる。
【００１１】
第１の態様又は第１の態様の第１乃至第５の実装のうちのいずれか１つを参照して、第６の実装では、前記ネットワーク装置により、Ｗ個のリソースブロックＲＢグループの各々の中でプリコードされたパイロットグループを端末装置へ送信するステップは、同じサブコードブックを使用してプリコーディングを実行することにより、前記Ｗ個のＲＢグループのうちの少なくとも２つの中で前記ネットワーク装置により前記端末装置へ送信されるプリコードされたパイロットグループを取得するステップ、を含む。
【００１２】
第１の態様の第６の実装を参照して、第７の実装では、ＷはＮより大きい。
【００１３】
第１の態様又は第１の態様の第１乃至第７の実装のうちのいずれか１つを参照して、第８の実装では、送信する工程は、各ダウンリンクサブフレームの中のＷ個のＲＢグループの各々において実行される。
【００１４】
第２の態様によると、本発明の一実施形態は、プリコーディング情報取得方法であって、
端末装置によりＷ個のリソースブロックＲＢグループのうちの任意の１つの中で、ネットワーク装置により送信されるプリコードされたパイロットグループを受信するステップであって、前記プリコードされたパイロットグループは、前記ネットワーク装置によりＮ個のサブコードブックを用いて、Ｋ個のパイロットを有するパイロットグループをプリコードすることにより得られ、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きく、Ｗは正整数である、ステップと、
前記端末装置により、前記任意の受信したプリコードされたパイロットグループに従い、前記ネットワーク装置へ前記任意のプリコードされたパイロットグループのプリコーディング情報をフィードバックするステップと、を含む取得方法を提供する。
【００１５】
第２の態様を参照し、第１の実装では、プリコードされたパイロットグループの前記プリコーディング情報は、パイロットインデックスを有し、前記パイロットインデックスは、前記プリコードされたパイロットグループに含まれるＫ個のプリコードされたパイロットのうちのプリコードされたパイロットのインデックスである。
【００１６】
第２の態様を参照し、第２の実装では、前記プリコードされたパイロットグループの前記プリコーディング情報は、プリコーディングベクトルインデックスを有する。前記プリコーディングベクトルインデックスは、前記プリコードされたパイロットグループに含まれるＫ個のプリコードされたパイロットのうちのプリコードされたパイロットに対応するプリコーディングベクトルのインデックスである。
【００１７】
第２の態様の第１又は第２の実装を参照して、第３の実装では、前記任意のプリコードされたパイロットグループに含まれる前記Ｋ個のプリコードされたパイロットのうちの前記プリコードされたパイロットを決定する方法は、
前記端末装置により前記受信したプリコードされたパイロットグループに含まれる前記Ｋ個のプリコードされたパイロットに従い、前記Ｋ個のプリコードされたパイロットに対応するＫ個の等価なチャネル値を決定するステップであって、等価なチャネル値は、前記端末装置により受信されるプリコードされたパイロットのプリコードされるべきパイロットに対する比である、ステップと、
前記端末装置により、前記Ｋ個の等価なチャネル値の中の最大値を決定するステップと、
前記端末装置により、前記最大値に対応するプリコードされたパイロットが、前記任意のプリコードされたパイロットグループに含まれる前記Ｋ個のプリコードされたパイロットのうちのプリコードされたパイロットであることを決定するステップと、
を含む。
【００１８】
第２の態様の第１又は第２の実装を参照して、第４の実装では、前記任意のプリコードされたパイロットグループに含まれる前記Ｋ個のプリコードされたパイロットのうちの前記プリコードされたパイロットを決定する方法は、
前記端末装置により前記受信したプリコードされたパイロットグループに含まれる前記Ｋ個のプリコードされたパイロットに従い、前記Ｋ個のプリコードされたパイロットに対応するＫ個の等価なチャネル値を決定するステップであって、等価なチャネル値は、前記端末装置により受信されるプリコードされたパイロットのプリコードされるべきパイロットとチャネルノイズとの和に対する比である、ステップと、
前記端末装置により、前記Ｋ個の等価なチャネル値の中の最大値を決定するステップと、
前記端末装置により、前記最大値に対応するプリコードされたパイロットが、前記任意のプリコードされたパイロットグループに含まれる前記Ｋ個のプリコードされたパイロットのうちのプリコードされたパイロットであることを決定するステップと、
を含む。
【００１９】
第２の態様の第３又は第４の実装を参照して、第５の実装では、前記プリコードされるべきパイロットは、前記端末装置に予め格納される。
【００２０】
第２の態様又は第２の態様の第１乃至第５の実装のうちのいずれか１つを参照して、第６の実装では、前記取得方法は、
前記端末装置により、前記ネットワーク装置により送信されるＫの値を受信するステップ、
を更に含み、端末装置により、Ｗ個のリソースブロックＲＢグループのうちの任意の１つの中で、ネットワーク装置により送信されるプリコードされたパイロットグループを受信するステップは、具体的には、
前記端末装置により前記Ｗ個のＲＢグループのうちの任意のＲＢグループの中で、Ｋ個のプリコードされたパイロットを含み及び前記ネットワーク装置により送信されるパイロットグループを受信するステップ、
を含む。
【００２１】
第３の態様によると、本発明の一実施形態は、装置であって、前記装置は、ネットワーク装置であり、
Ｎ個のサブコードブックを使用することにより、Ｎ個のプリコードされたパイロットグループを得るために、Ｋ個のパイロットを有するパイロットグループを別個にプリコードするよう構成されるプリコーディングモジュールであって、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きい、プリコーディングモジュールと、
Ｗ個のリソースブロックＲＢグループの各々の中で、プリコードされたパイロットグループを端末装置へ送信するよう構成される送信モジュールであって、Ｗは正整数である、送信モジュールと、
Ｗ個のプリコードされたパイロットグループのうちの任意の１つについて、前記端末装置によりフィードバックされるプリコーディング情報を受信するよう構成される受信モジュールと、
を含む装置を提供する。
【００２２】
第３の態様を参照し、第１の実装では、Ｗ個のプリコードされたパイロットグループのうちの任意の１つについてフィードバックされるプリコーディング情報は、パイロットインデックスを有し、パイロットインデックスは、プリコードされたパイロットグループに含まれるＫ個のプリコードされたパイロットのうちのプリコードされたパイロットのインデックスである。
【００２３】
第３の態様を参照し、第２の実装では、前記Ｗ個のプリコードされたパイロットグループのうちの各々のプリコードされたパイロットグループについてフィードバックされる前記プリコーディング情報は、プリコーディングベクトルインデックスを有し、前記プリコーディングベクトルインデックスは、前記プリコードされたパイロットグループに含まれるＫ個のプリコードされたパイロットのうちのプリコードされたパイロットに対応するプリコーディングベクトルのインデックスである。
【００２４】
第３の態様又は第３の態様の第１乃至第２の実装を参照して、第３の実装では、前記送信モジュールが前記端末装置にＫの値を通知する。
【００２５】
第３の態様又は第３の態様の第１乃至第３の実装のうちのいずれか１つを参照して、第４の実装では、前記装置は、前記Ｗ個のプリコードされたパイロットグループのうちの任意の１つについて前記端末装置によりフィードバックされる前記プリコーディング情報に従い、前記Ｎ個のサブコードブックを更新するよう構成される更新モジュールを更に有する。
【００２６】
第３の態様又は第３の態様の第１乃至第４の実装のうちのいずれか１つを参照して、第５の実装では、前記Ｎ個のサブコードブックのうちの任意の２つのサブコードブックは異なる。
【００２７】
第３の態様又は第３の態様の第１乃至第５の実装のうちのいずれか１つを参照して、第６の実装では、前記Ｗ個のＲＢグループのうちの少なくとも２つの中で前記送信モジュールにより前記端末装置へ送信されるプリコードされたパイロットグループは、同じサブコードブックを用いてプリコードを実行することにより得られる。
【００２８】
第３の態様の第６の実装を参照して、第７の実装では、ＷはＮより大きい。
【００２９】
第３の態様又は第３の態様の第１乃至第７の実装のうちのいずれか１つを参照して、第８の実装では、送信する工程は、各ダウンリンクサブフレームの中のＷ個のＲＢグループの各々において、前記送信モジュールにより実行される。
【００３０】
第４の態様によると、本発明の一実施形態は、装置であって、前記装置は、端末装置であり、
Ｗ個のリソースブロックＲＢグループのうちの任意の１つの中で、ネットワーク装置により送信されるプリコードされたパイロットグループを受信するよう構成される受信モジュールであって、前記プリコードされたパイロットグループは、前記ネットワーク装置によりＮ個のサブコードブックのうちの任意の１つを用いて、Ｋ個のパイロットを有するパイロットグループをプリコードことにより得られ、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きく、Ｗは正整数である、受信モジュールと、
前記任意の受信したプリコードされたパイロットグループに従い、前記ネットワーク装置へ前記任意のプリコードされたパイロットグループのプリコーディング情報をフィードバックするよう構成される送信モジュールと、
を含む装置を提供する。
【００３１】
第４の態様を参照し、第１の実装では、前記プリコードされたパイロットグループの前記プリコーディング情報は、パイロットインデックスを有し、前記パイロットインデックスは、前記プリコードされたパイロットグループに含まれるＫ個のプリコードされたパイロットのうちのプリコードされたパイロットのインデックスである。
【００３２】
第４の態様を参照し、第２の実装では、前記プリコードされたパイロットグループの前記プリコーディング情報は、プリコーディングベクトルインデックスを有する。前記プリコーディングベクトルインデックスは、前記プリコードされたパイロットグループに含まれるＫ個のプリコードされたパイロットのうちのプリコードされたパイロットに対応するプリコーディングベクトルのインデックスである。
【００３３】
第４の態様の第１又は第２の実装を参照して、第３の実装では、前記装置は、前記受信したプリコードされたパイロットグループに含まれる前記Ｋ個のプリコードされたパイロットに従い、前記Ｋ個のプリコードされたパイロットに対応するＫ個の等価なチャネル値を決定するよう構成される決定モジュールであって、等価なチャネル値は、前記端末装置により受信されるプリコードされたパイロットのプリコードされるべきパイロットに対する比である、決定モジュール、を更に含み、
前記決定モジュールは、前記Ｋ個の等価なチャネル値の中の最大値を決定するよう構成され、
前記決定モジュールは、前記最大値に対応するプリコードされたパイロットが、前記任意のプリコードされたパイロットグループに含まれる前記Ｋ個のプリコードされたパイロットのうちのプリコードされたパイロットであることを決定するよう構成される。
【００３４】
第４の態様の第１又は第２の実装を参照して、第４の実装では、前記装置は、前記受信したプリコードされたパイロットグループに含まれる前記Ｋ個のプリコードされたパイロットに従い、前記Ｋ個のプリコードされたパイロットに対応するＫ個の等価なチャネル値を決定するよう構成される決定モジュールであって、等価なチャネル値は、前記端末装置により受信されるプリコードされたパイロットのプリコードされるべきパイロットとチャネルノイズとの和に対する比である、決定モジュール、を更に含み、
前記決定モジュールは、前記Ｋ個の等価なチャネル値の中の最大値を決定するよう構成され、
前記決定モジュールは、前記最大値に対応するプリコードされたパイロットが、前記任意のプリコードされたパイロットグループに含まれる前記Ｋ個のプリコードされたパイロットのうちのプリコードされたパイロットであることを決定するよう構成される。
【００３５】
第４の態様の第３又は第４の実装を参照して、第５の実装では、前記装置は、前記プリコードされるべきパイロットを予め格納するよう構成される記憶モジュールを更に有する。
【００３６】
第４の態様又は第４の態様の第１乃至第５の実装のうちのいずれか１つを参照して、第６の実装では、前記受信モジュールは、前記ネットワーク装置により送信されるＫの値を受信するよう更に構成され、前記受信モジュールは、具体的には、前記Ｗ個のＲＢグループのうちの任意のＲＢグループの中で、Ｋ個のプリコードされたパイロットを含み前記ネットワーク装置により送信されるパイロットグループを受信するよう構成される。
【００３７】
第５の態様によると、本発明の一実施形態は、装置であって、前記装置は、ネットワーク装置であり、
Ｎ個のサブコードブックを使用することにより、Ｎ個のプリコードされたパイロットグループを得るために、Ｋ個のパイロットを有するパイロットグループを別個にプリコードするよう構成されるプロセッサであって、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きい、プロセッサと、
Ｗ個のリソースブロックＲＢグループの各々の中で、プリコードされたパイロットグループを端末装置へ送信するよう構成される送信機であって、Ｗは正整数である、送信機と、
Ｗ個のプリコードされたパイロットグループのうちの任意の１つについて、前記端末装置によりフィードバックされるプリコーディング情報を受信するよう構成される受信機と、
を含む装置を提供する。
【００３８】
第５の態様を参照し、第１の実装では、Ｗ個のプリコードされたパイロットグループのうちの任意の１つについてフィードバックされるプリコーディング情報は、パイロットインデックスを有し、パイロットインデックスは、プリコードされたパイロットグループに含まれるＫ個のプリコードされたパイロットのうちのプリコードされたパイロットのインデックスである。
【００３９】
第５の態様を参照し、第２の実装では、前記Ｗ個のプリコードされたパイロットグループのうちの各々のプリコードされたパイロットグループについてフィードバックされる前記プリコーディング情報は、プリコーディングベクトルインデックスを有し、前記プリコーディングベクトルインデックスは、前記プリコードされたパイロットグループに含まれるＫ個のプリコードされたパイロットのうちのプリコードされたパイロットに対応するプリコーディングベクトルのインデックスである。
【００４０】
第５の態様又は第５の態様の第１乃至第２の実装を参照して、第３の実装では、前記送信機が前記端末装置にＫの値を通知するよう更に構成される。
【００４１】
第５の態様又は第５の態様の第１乃至第３の実装のうちのいずれか１つを参照して、第４の実装では、前記プロセッサは、前記Ｗ個のプリコードされたパイロットグループのうちの任意の１つについて前記端末装置によりフィードバックされる前記プリコーディング情報に従い、Ｎ個のサブコードブックを更新するよう更に構成される。
【００４２】
第５の態様又は第５の態様の第１乃至第４の実装のうちのいずれか１つを参照して、第５の実装では、前記Ｎ個のサブコードブックのうちの任意の２つのサブコードブックは異なる。
【００４３】
第５の態様又は第５の態様の第１乃至第５の実装のうちのいずれか１つを参照して、第６の実装では、前記Ｗ個のＲＢグループのうちの少なくとも２つの中で前記送信機により前記端末装置へ送信されるプリコードされたパイロットグループは、同じサブコードブックを用いてプリコードを実行することにより得られる。
【００４４】
第５の態様の第６の実装を参照して、第７の実装では、ＷはＮより大きい。
【００４５】
第５の態様又は第５の態様の第１乃至第７の実装のうちのいずれか１つを参照して、第８の実装では、送信する工程は、各ダウンリンクサブフレームの中のＷ個のＲＢグループの各々において、前記送信機により実行される。
【００４６】
第６の態様によると、本発明の一実施形態は、装置であって、前記装置は、端末装置であり、
Ｗ個のリソースブロックＲＢグループのうちの任意の１つの中で、ネットワーク装置により送信されるプリコードされたパイロットグループを受信するよう構成される受信機であって、前記プリコードされたパイロットグループは、前記ネットワーク装置によりＮ個のサブコードブックのうちの任意の１つを用いて、Ｋ個のパイロットを有するパイロットグループをプリコードことにより得られ、前記サブコードブックは、プリコーディングコードブックのサブセットであり、前記プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きく、Ｗは正整数である、受信機と、
前記任意の受信したプリコードされたパイロットグループに従い、前記ネットワーク装置へ前記任意のプリコードされたパイロットグループのプリコーディング情報をフィードバックするよう構成される送信機と、
を含む装置を提供する。
【００４７】
第６の態様を参照し、第１の実装では、前記プリコードされたパイロットグループの前記プリコーディング情報は、パイロットインデックスを有し、前記パイロットインデックスは、前記プリコードされたパイロットグループに含まれるＫ個のプリコードされたパイロットのうちのプリコードされたパイロットのインデックスである。
【００４８】
第６の態様を参照し、第２の実装では、前記プリコードされたパイロットグループの前記プリコーディング情報は、プリコーディングベクトルインデックスを有する。前記プリコーディングベクトルインデックスは、前記プリコードされたパイロットグループに含まれるＫ個のプリコードされたパイロットのうちのプリコードされたパイロットに対応するプリコーディングベクトルのインデックスである。
【００４９】
第６の態様の第１又は第２の実装を参照して、第３の実装では、前記装置は、前記受信したプリコードされたパイロットグループに含まれる前記Ｋ個のプリコードされたパイロットに従い、前記Ｋ個のプリコードされたパイロットに対応するＫ個の等価なチャネル値を決定するよう構成されるプロセッサであって、等価なチャネル値は、前記端末装置により受信されるプリコードされたパイロットのプリコードされるべきパイロットに対する比である、プロセッサ、を更に含み、
前記プロセッサは、前記Ｋ個の等価なチャネル値の中の最大値を決定するよう構成され、
前記プロセッサは、前記最大値に対応するプリコードされたパイロットが、前記任意のプリコードされたパイロットグループに含まれる前記Ｋ個のプリコードされたパイロットのうちのプリコードされたパイロットであることを決定するよう構成される。
【００５０】
第６の態様の第１又は第２の実装を参照して、第４の実装では、前記装置は、前記受信したプリコードされたパイロットグループに含まれる前記Ｋ個のプリコードされたパイロットに従い、前記Ｋ個のプリコードされたパイロットに対応するＫ個の等価なチャネル値を決定するよう構成されるプロセッサであって、等価なチャネル値は、前記端末装置により受信されるプリコードされたパイロットのプリコードされるべきパイロットとチャネルノイズとの和に対する比である、プロセッサ、を更に含み、
前記プロセッサは、前記Ｋ個の等価なチャネル値の中の最大値を決定するよう構成され、
前記プロセッサは、前記最大値に対応するプリコードされたパイロットが、前記任意のプリコードされたパイロットグループに含まれる前記Ｋ個のプリコードされたパイロットのうちのプリコードされたパイロットであることを決定するよう構成される。
【００５１】
第６の態様の第３又は第４の実装を参照して、第５の実装では、前記装置は、前記プリコードされるべきパイロットを予め格納するよう構成されるメモリを更に有する。
【００５２】
第６の態様又は第６の態様の第１乃至第５の実装のうちのいずれか１つを参照して、第６の実装では、前記受信機は、前記ネットワーク装置により送信されるＫの値を受信するよう更に構成され、前記受信機は、具体的には、前記Ｗ個のＲＢグループのうちの任意のＲＢグループの中で、Ｋ個のプリコードされたパイロットを含み前記ネットワーク装置により送信されるパイロットグループを受信するよう構成される。
【００５３】
本発明の実施形態は、プリコーディング情報取得方法及び装置を提供する。ネットワーク装置は、プリコーディングコードブックを複数のサブコードブックに分割し、各サブコードブックの中のプリコーディングベクトルの量は比較的小さい。したがって、各ＲＢグループの中でネットワーク装置により送信されるパイロット信号の量は削減され、各ＲＢグループの中のパイロットオーバヘッドが削減される。このように、チャネル測定が完了する間にデータ送信のために使用されるリソースは追加され、したがって、通信システムの通信能力が向上される。
【図面の簡単な説明】
【００５４】
本発明の実施形態の技術的解決策をより明確に説明するために、以下に実施形態又は従来技術の説明に必要な添付の図面を記載する。明らかなことに、以下の説明中の添付の図面は、本発明の一部の実施形態であり、これらの図面に従って当業者により創造的労力を有しないで他の図面も得られる。
【発明を実施するための形態】
【００５５】
本発明の目的、技術的解決策、及び利点を明確にするために、以下に、本発明の実施形態における技術的解決策を本発明の実施形態における添付の図面を参照して明確に記載する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００５６】
図１は、本発明によるプリコーディング情報取得方法の適用シナリオの概略図である。図１に示すように、複数のアンテナがネットワーク装置に配置され、１又は複数のアンテナが、ネットワーク装置と通信する各端末装置に配置されて良い。ネットワーク装置は、ネットワーク装置にある各アンテナを使用することにより送信されるべき信号を送信して良い。ネットワーク装置と端末装置との間のチャネルを通過した後に、各アンテナにより送信された信号は、端末装置のアンテナにより受信される。端末装置は、受信信号を分析し、端末装置とネットワーク装置との間のチャネルの状態を知る。ネットワーク装置と端末装置との間のチャネルの状態はリアルタイムに変化することが理解され得る。ネットワーク装置は、リソースブロックＲＢ（resource  block）内の各送信位置で情報を送信する。したがって、異なる送信位置にある情報は、異なるチャネル状態を経験する。しかしながら、互いに比較的近い送信位置にある情報は、類似するチャネル状態を経験する。したがって、本実施形態では、１つのＲＢ又は複数の隣接ＲＢが１つのＲＢグループとして用いられ、ネットワーク装置と端末装置との間のチャネルの状態は、プリコーディング情報を得るためにＲＢグループに基づき測定される。
【００５７】
ネットワーク装置は、モバイル装置と通信するよう構成される装置であって良い。ネットワーク装置は、ＧＳＭ（Global  System  for  Mobile  Communication、グローバルシステムフォーモバイルコミュニケーションズ）又はＣＤＭＡ（Code  Division  Multiple  Access、符号分割多重アクセス）におけるＢＴＳ（Base  Transceiver  Station、基地トランシーバ局）であって良く、ＷＣＤＭＡ（Wideband  Code  Division  Multiple  Access、広帯域符号分割多重アクセス）におけるＮＢ（NodeB、ノードＢ）であって良く、又はｅＮＢ若しくはｅＮｏｄｅＢ（Evolved  Node  B、進化型NodeB）、ＬＴＥ（Long  Term  Evolution、ロングタームエボリューション）におけるアクセスポイント、ウェアラブル装置、又は将来の５Ｇネットワークにおけるネットワーク装置、又は将来の進化したＰＬＭＮ（Public  Land  Mobile  Network、地上波公衆移動通信ネットワーク）ネットワークにおけるネットワーク装置であって良い。
【００５８】
端末装置は、ユーザ機器（User  Equipment）、アクセス端末、加入者ユニット、加入者局、移動局、リモート局、リモート端末、モバイル装置、ユーザ端末、端末、無線通信装置、ユーザエージェント、又はユーザ装置としても参照される場合がある。アクセス端末は、セルラ電話機、コードレス電話機、ＳＩＰ（Session  Initiation  Protocol、セッション開始プロトコル）電話機、ＷＬＬ（Wireless  Local  Loop、無線ローカルループ）局、ＰＤＡ（Personal  Digital  Assistant、パーソナルデジタルアシスタント）、無線通信機能を備えるハンドヘルド装置、コンピューティング装置、又は無線モデムに接続される別の処理装置、車載装置、ウェアラブル装置、将来の５Ｇネットワークにおける端末装置、又は将来の進化したＰＬＭＮ（Public  Land  Mobile  Network、地上波公衆移動通信ネットワーク）ネットワークにおける端末装置であって良い。
【００５９】
具体的には、図２は、本発明によるプリコーディング情報取得方法の実施形態１の概略フローチャートである。図２に示すように、本実施形態は以下のステップを含む。
【００６０】
Ｓ１０１。ネットワーク装置は、Ｎ個のサブコードブックを使用することにより、Ｎ個のプリコードされたパイロットグループを得るために、Ｋ個のパイロットを含むパイロットグループを別個にプリコードする。
【００６１】
サブコードブックは、プリコーディングコードブックのサブセットであり、プリコーディングコードブックは、Ｍ個のプリコーディングベクトルを含み、各サブコードブックはＫ個のプリコーディングベクトルを含み、Ｋは正整数であり、Ｎ及びＭは１より大きい整数であり、ＭはＫより大きい。
【００６２】
具体的には、ネットワーク装置は、自身で、Ｋ個のパイロットを含むパイロットグループを生成して良い。ネットワーク装置は、Ｎ個のサブコードブックの第１サブコードブックを使用することにより、パイロットグループをプリコードし、プリコードされたパイロットグループを得て、及び、Ｎ個のサブコードブックの第２サブコードブックを使用することにより、パイロットグループを再度プリコードし、別のプリコードされたパイロットグループを得る、等である。Ｎ個のコードブックは、同じパイロットグループをプリコードするために別個に使用され、Ｎ個のプリコードされたパイロットグループが得られる。パイロットグループの中のパイロットと、各サブコードブックの中のプリコーディングベクトルとは、１対１対応であって良い。サブコードブックがパイロットグループをプリコードするために使用されるとき、サブコードブックの中のプリコーディングベクトルは、１対１対応方法で、パイロットグループの中のパイロットをプリコードするために使用されることが事実として理解され得る。つまり、同じサブコードブックについて、異なるパイロットをプリコードするために、異なるプリコーディングベクトルが使用される。たと、サブコードブックの中のプリコーディングベクトルは、パイロットグループの中の第１パイロットをプリコードするために使用され、第１のプリコードされたパイロットが得られる。次に、別のプリコーディングベクトルは、パイロットグループの中の第２パイロットをプリコードするために使用され、第２のプリコードされたパイロットが得られる。同様に、Ｋ個のプリコードされたパイロットが得られる。つまり、Ｋ個のプリコードされたパイロットを含むプリコードされたパイロットグループが得られる。
【００６３】
プリコーディングコードブックは、通信プロトコルに従いネットワーク装置のために通信システムにより構成されて良い。つまり、ネットワーク装置は、プリコーディングコードブックを分割し、Ｎ個のサブコードブックを得ることが考えられ得る。Ｔ個のアンテナがネットワーク装置のために構成されるとき、プリコーディングコードブックの中の各プリコーディングベクトルは、Ｔ個の要素を含む。さらに、望ましくは、パイロットグループの中の全てのパイロットは、互いに直交する。
【００６４】
Ｓ１０２。ネットワーク装置は、Ｗ個のＲＢグループの各々の中で、端末装置へプリコードされたパイロットグループを送信する。
【００６５】
Ｗ個のＲＢグループは、同じダウンリンクサブフレームの中にある。任意のＲＢグループは、少なくとも１つのＲＢ又は少なくとも２つの隣接するＲＢを有して良い。同じダウンリンクサブフレームの中のＷ個のＲＢグループに含まれるＲＢは、ネットワーク装置によりダウンリンクサブフレームの中にスケジューリングされ得る全てのＲＢである。つまり、ネットワーク装置は、Ｗ個のＲＢグループを形成するために、ダウンリンクサブフレームの中にスケジューリングできるＲＢをグループ化する。Ｗは正整数である。
【００６６】
Ｓ１０３。ネットワーク装置は、Ｗ個のプリコードされたパイロットグループのうちの任意の１つについて、端末装置によりフィードバックされるプリコーディング情報を受信する。
【００６７】
Ｓ１０２で、ネットワーク装置は、Ｗ個のＲＢグループのうちの各ＲＢグループの中で、端末装置へプリコードされたパイロットグループを送信する。任意のＲＢグループの中でプリコードされたパイロットグループを受信した後に、端末装置は、ＲＢグループのプリコーディング情報をネットワーク装置へフィードバックする。
【００６８】
任意のＲＢグループの中でネットワーク装置により送信されるプリコードされたパイロットグループは、ネットワーク装置によりＮ個のサブコードブックの中のサブコードブックを使用することにより、パイロットグループをプリコードすることにより得られる。それは、ネットワーク装置がＲＢグループにサブコードブックを割り当てるという事実と等価であり得る。したがって、ＲＢグループの中のＫ個の送信されるべきプリコードされたパイロットは、ネットワーク装置により、ＲＢグループに割り当てられたサブコードブックを使用することにより、Ｋ個のパイロットを含むパイロットグループをプリコードすることにより得られる。任意的に、異なるＲＢグループの中の情報が異なるチャネル状態を経験するという事実を考慮して、Ｎ個のサブコードブックのうちの任意の２つのサブコードブックは異なり、したがって、比較的正確なプリコーディング情報が得られる。したがって、同じサブコードブックをＷ個のＲＢグループに割り当てる確率は比較的低く、したがって、正確なプリコーディング情報が得られる。
【００６９】
さらに、Ｗ個のプリコードされたパイロットグループのうちの任意の１つについて端末装置によりフィードバックされるプリコーディング情報を受信した後に、ネットワーク装置は、任意のＲＢグループに割り当てられたサブコードブックの中のどのプリコーディングベクトルが、ＲＢグループに適切かを知ることができる。つまり、現在のチャネル状態は、プリコーディング情報を使用することにより推定され、したがって、ネットワーク装置は、任意のＲＢグループについて、現在のチャネル状態に対して採用すべきプリコーディングベクトルを決定できる。
【００７０】
本実施形態では、ネットワーク装置は、プリコーディングコードブックを複数のサブコードブックに分割し、各サブコードブックの中のプリコーディングベクトルの量は比較的小さい。したがって、各ＲＢグループの中でネットワーク装置により送信されるパイロット信号の量は削減され、各ＲＢグループの中のパイロットオーバヘッドが削減される。このように、チャネル測定が完了する間にデータ送信のために使用されるリソースは追加され、したがって、通信システムの通信能力が向上される。
【００７１】
図３は、本発明によるプリコーディング情報取得方法の実施形態２の概略フローチャートである。図３に示すように、本実施形態は以下のステップを含む。
【００７２】
Ｓ２０１。端末装置は、Ｗ個のＲＢグループのうちの任意の１つの中で、プリコードされたパイロットグループを受信する。
【００７３】
プリコードされたパイロットグループは、ネットワーク装置によりＮ個のサブコードブックのうちの任意の１つを使用することにより、Ｋ個のパイロットを含むパイロットグループをプリコードすることにより得られる。サブコードブックは、プリコーディングコードブックのサブセットであり、プリコーディングコードブックは、Ｍ個のプリコーディングベクトルを含み、各サブコードブックはＫ個のプリコーディングベクトルを含み、Ｋは正整数であり、Ｎ及びＭは１より大きい整数であり、ＭはＫより大きく、Ｗは正整数である。
【００７４】
本実施形態は、ネットワーク装置に対応する端末装置により実行される。Ｓ２０１は、図２に示す実施形態のＳ１０３に対応する。パイロットグループ、サブコードブック、及びプリコードされたパイロットグループの特定の説明については、Ｓ１０１からＳ１０３を参照する。
【００７５】
Ｓ２０２。端末装置は、任意の受信されたプリコードされたパイロットグループに従い、ネットワーク装置に、任意のプリコードされたパイロットグループのプリコーディング情報をフィードバックする。
【００７６】
ネットワーク装置は、Ｗ個のＲＢグループの全部の中で、プリコードされたパイロットグループを送信する。Ｗ個のＲＢグループのうちの任意のＲＢグループの中で、ネットワーク装置により送信されるプリコードされたパイロットグループを受信するとき、端末装置は、プリコードされたパイロットグループのプリコーディング情報をネットワーク装置へフィードバックする。例えば、端末装置がＷ個のＲＢグループのうちの第１ＲＢグループの中でプリコードされたパイロットグループを受信する場合、プリコードされたパイロットグループのプリコーディング情報をネットワーク装置にフィードバックするとき、端末装置は、具体的には、第１ＲＢグループの中でネットワーク装置により送信されたプリコードされたパイロットグループのプリコーディング情報をフィードバックする。端末装置がＷ個のＲＢグループのうちの第Ｗ番目のＲＢグループの中でプリコードされたパイロットグループを受信する場合、プリコードされたパイロットグループのプリコーディング情報をネットワーク装置にフィードバックするとき、端末装置は、具体的には、第Ｗ番目のＲＢグループの中でネットワーク装置により送信されたプリコードされたパイロットグループのプリコーディング情報をフィードバックする。端末装置が、Ｗ個のＲＢグループの全部の中で、ネットワーク装置により送信されたプリコードされたパイロットグループを受信する場合、プリコードされたパイロットグループのプリコーディング情報をフィードバックするとき、端末装置は、Ｗ個のＲＢグループについて、Ｗ個のプリコードされたパイロットグループのプリコーディング情報をネットワーク装置にフィードバックすることが理解され得る。
【００７７】
さらに、ＲＢグループの中でネットワーク装置により送信されるプリコードされたパイロットグループが、ネットワーク装置と端末装置との間のチャネルを使用することにより送信されるとき、プリコードされたパイロットグループは、チャネル状態により影響される。したがって、ＲＢグループの中で端末装置により受信されたプリコードされたパイロットグループは、ＲＢグループの中でネットワーク装置により送信されたプリコードされたパイロットグループと異なる。しかしながら、本実施形態が実施される前には、端末装置及びネットワーク装置は、プリコーディングのために使用されるパイロットグループの中の全てのパイロット（つまり、プリコードされるべきパイロット）を無視する場合がある。代替で、端末装置及びネットワーク装置は、プリコーディングのために使用されるパイロットグループ、プリコーディングコードブック、又はプリコーディングサブコードブックを予め格納して良い。このように、任意のプリコードされたパイロットグループを受信した後に、端末装置は、任意のプリコードされたパイロットグループのプリコーディング情報を決定し、次に、Ｓ２０２で、任意のプリコードされたパイロットグループのプリコーディング情報をネットワーク装置にフィードバックして良い。
【００７８】
具体的には、各ＲＢグループの中でネットワーク装置により送信されるプリコードされたパイロットグループは、サブコードブックを使用してプリコードを実行することにより得られる。サブコードブックに含まれるプリコーディングベクトルは、プリコーディングコードブックに含まれるプリコーディングベクトルのサブセットである。そして、サブコードブックに含まれるプリコーディングベクトルの数量は、プリコーディングコードブックに含まれるプリコーディングベクトルの数量より少なくて良い。したがって、各ＲＢグループの中で送信されるプリコードされたパイロットグループに含まれるプリコードされたパイロットの数量は、比較的少なく、つまりＫであり、サブコードブックに含まれるプリコーディングベクトルの数量と等しい。端末装置が任意のＲＢグループについてプリコードされたパイロットグループのプリコーディング情報を決定するとき、決定は、ＲＢグループの中でネットワーク装置により送信されるＫ個のプリコードされたパイロットに基づき実行される。しかしながら、従来技術では、各ＲＢグループの中のパイロットの数量は、プリコーディングコードブックの中のプリコーディングベクトルの数量と等しい。したがって、任意のＲＢグループについて、端末装置は、ＲＢグループの中の多数のパイロットに基づきプリコーディングコードブックの中の全部のプリコーディングベクトルをトラバースすることによってのみ、ＲＢグループの中でネットワーク装置により送信されたプリコードされたパイロットグループのプリコーディング情報を決定できる。従来技術と比較して、本実施形態では、各ＲＢグループの中のパイロットオーバヘッドは削減される。したがって、端末装置は、ＲＢグループの中の比較的少ない数量のパイロットにのみ基づき、プリコーディング情報を決定する。したがって、本実施形態では、端末装置は、フィードバックを完了するために比較的少ない計算量しか必要としない。したがって、端末装置の負荷が軽減される。
【００７９】
本実施形態では、パイロットグループがサブコードブックを使用することによりプリコードされるので、各ＲＢグループについて、プリコーディングのために使用される必要のあるプリコーディングベクトルの数量は削減され、したがって、各ＲＢグループの中でネットワーク装置により送信されるパイロットの数量が削減される。したがって、端末装置は、各ＲＢグループの中の比較的少ない数量のパイロットにのみ基づき、プリコーディング情報を決定する。したがって、本実施形態では、端末装置は、プリコーディング情報のフィードバックを完了するために比較的少ない計算量しか必要としない。したがって、端末装置の負荷が軽減される。
【００８０】
図４は、本発明によるプリコーディング情報取得方法の実施形態３の概略フローチャートである。図４に示すように、本実施形態は以下のステップを含む。
【００８１】
Ｓ３０１。ネットワーク装置は、Ｎ個のサブコードブックを使用することにより、Ｎ個のプリコードされたパイロットグループを得るために、Ｋ個のパイロットを含むパイロットグループを別個にプリコードする。
【００８２】
具体的には、１つのパイロットグループはＫ個のパイロットを含み、１つのサブコードブックはＫ個のプリコーディングベクトルを含む。Ｋ個のパイロット信号は、それぞれ、サブコードブックに含まれるＫ個のプリコーディングベクトルを、パイロットグループの中のＫ個のパイロットにより乗算することにより、得られる。つまり１つのプリコードされたパイロットグループが得られる。
【００８３】
Ｓ３０２。ネットワーク装置は、Ｗ個のリソースブロックＲＢグループの各々の中で、端末装置へプリコードされたパイロットグループを送信する。
【００８４】
例えば、１つのダウンリンクサブフレームの中に、ネットワーク装置によりスケジュール可能な１００個のＲＢがある。１００個のＲＢが１００個のグループに分割される場合、各ＲＢグループは１個のＲＢを含む。１個のＲＢは、さらに送信位置に分割されて良い。分割位置は、ＯＦＤＭ（Orthogonal  Frequency  Division  Multiplexing、直交周波数分割多重）シンボルインデックス及び副搬送波インデックスを使用することにより示すことができる。１つの送信位置は、１つのプリコードされたパイロットグループの中で１つのプリコードされたパイロットを送信するために使用される。例えば、Ｓ３０１で得られたプリコードされたパイロットグループは、Ｋ個のプリコードされたパイロットを含む。さらに、プリコードされたパイロットグループがＲＢグループの中で送信されるとき、プリコードされたパイロットグループに含まれるＫ個のプリコードされたパイロットは、パイロット（つまり、プリコードされたパイロット）を送信するために使用される及びＲＢグループの中にあるＫ個の送信位置の中でそれぞれ送信される。
【００８５】
図５は、本発明の実施形態３によるサブコードブックの概略図である。図５に示すように、第１ＲＢグループの中で送信されるプリコードされたパイロットグループは、サブコードブック１を使用してプリコードを実行することにより得られる。第２ＲＢグループの中で送信されるプリコードされたパイロットグループは、サブコードブック２を使用してプリコードを実行することにより得られる。そして同様に、第６ＲＢグループの中で送信されるプリコードされたパイロットグループは、サブコードブック６を使用してプリコードを実行することにより得られる。その後、第７ＲＢグループから開始して、サブコードブック１から６は、第７から第１２ＲＢグループの中で送信される必要のあるプリコードされたパイロットグループを得るために、パイロットグループをプリコードするために連続的に再利用される。同様に、第６サブコードブックは循環して使用できる。つまり、実際の適用では、Ｎ個のサブコードブックは、各ＲＢグループに循環してに割り当てられて良い。つまり、ＷがＮより大きい整数であるとき、Ｗ個のＲＢグループの中で、（［Ｗ／Ｎ］・Ｎ＋ｉ）番目のＲＢグループに割り当てられるサブコードブックは、ｉ番目のＲＢグループに割り当てられるサブコードブックと同じである。ここで、「［］」は丸め演算を示し、ｉは１乃至Ｗの任意の整数（１及びＷを含む）である。
【００８６】
任意的に、前述の送信する工程は、各ダウンリンクサブフレームの中のＷ個のＲＢグループの各々において実行される。つまり、本実施形態では各ＲＢグループの中で送信される必要のあるパイロットの数量が低減されるので、各ダウンリンクサブフレームの中のＷ個のＲＢグループの各々の中でプリコードされたパイロットグループを送信する工程を実施することは比較的容易である。したがって、Ｓ３０２又はＳ３０１及びＳ３０２は、各ダウンリンクサブフレームにおいて実行される。ネットワーク装置は、特定のプリコーディング情報を得るために、ネットワーク装置と端末装置との間のチャネルをリアルタイムに測定して良く、それにより、ネットワーク装置によるプリコーディング情報の取得の適時性を向上する。
【００８７】
Ｓ３０３。端末装置は、Ｗ個のＲＢグループのうちの任意のＲＢグループの中で、ネットワーク装置により送信されるプリコードされたパイロットグループを受信する。
【００８８】
ネットワーク装置は、任意のＲＢグループの中でＫ個のプリコードされたパイロットを送信することに留意すべきである。任意的に、Ｓ３０３の前に、ネットワーク装置は、端末装置にＫの値を通知する。したがって、端末装置がネットワーク装置により送信されたＫの値を受信した後に、端末装置は、各ダウンリンクサブフレームの中のＷ個のＲＢグループのうちの任意の１つの中で、Ｋ個のプリコードされたパイロットを含み及びネットワーク装置により送信されるパイロットグループを受信する。より具体的には、ネットワーク装置及び端末装置が本実施形態を実施する前には、ネットワーク装置及び端末装置は、交渉により、プリコードされたパイロットを送信するために使用される及び各ＲＢグループの中の送信位置、並びに、プリコードされるべきパイロットグループの中のＫ個のプリコードされるべきパイロットのコンテンツ及びサイズのような情報を予め決定する。つまり、任意のＲＢグループについて、端末装置は、Ｋの値、及びプリコードされたパイロットを送信するために使用されるＫ個の送信位置を予め知っている。端末装置は、プリコードされたパイロットを送信するために使用され及び任意のＲＢグループの中にあるＫ個の送信位置の中でＫ個のプリコードされたパイロットを受信する。つまり、任意のＲＢグループの中で、ネットワーク装置により送信されるプリコードされたパイロットグループを受信する。
【００８９】
Ｓ３０４。端末装置は、任意のＲＢグループの中で受信されたプリコードされたパイロットグループに従い、ネットワーク装置に、プリコードされたパイロットグループのプリコーディング情報をフィードバックする。
【００９０】
本実施形態では、プリコードされたパイロットグループのプリコーディング情報は、パイロットインデックスを有する。パイロットインデックスは、プリコードされたパイロットグループに含まれるＫ個のプリコードされたパイロットのうちのプリコードされたパイロットのインデックスである。代替で、プリコードされたパイロットグループのプリコーディング情報は、プリコーディングベクトルインデックスを有する。プリコーディングベクトルインデックスは、プリコードされたパイロットグループに含まれるＫ個のプリコードされたパイロットのうちのプリコードされたパイロットに対応するプリコーディングベクトルのインデックスである。プリコードされたパイロットのインデックス又はプリコーディングベクトルのインデックスがフィードバックされるかに関わらず、プリコードされたパイロットのインデックス又はプリコードされたパイロットに対応するプリコーディングベクトルのインデックスが、プリコードされたパイロットグループの中で、プリコーディング情報をフィードバックするために使用されるプリコードされたパイロットとして最初に選択されて良い。つまり、プリコードされたパイロットグループに含まれるＫ個のプリコードされたパイロットの中のプリコードされたパイロットが選択される必要がある。任意的に、プリコードされたパイロットグループに含まれるＫ個のプリコードされたパイロットの中のプリコードされたパイロットを決定する複数の方法が存在し得る。以下は、一例としてＲＢグループの中のプリコードされたパイロットグループを使用することにより方法を説明する。
【００９１】
Ｃ１。端末装置は、受信したプリコードされたパイロットグループに含まれるＫ個のプリコードされたパイロットに従い、Ｋ個のプリコードされたパイロットに対応するＫ個の等価なチャネル値を決定する。
【００９２】
等価なチャネル値は、端末装置により受信されるプリコードされたパイロットの、プリコードされるべきパイロットに対する比であって良い。
【００９３】
具体的には、Ｓ３０２で、ネットワーク装置は、第１から第Ｗ番目のＲＢグループのうちの各ＲＢグループの中で、端末装置へプリコードされたパイロットグループを別個に送信する。つまり、全体で、第１から第Ｗ番目のプリコードされたパイロットグループが送信される。相応して、端末装置は、第１から第Ｗ番目のＲＢグループの中で、全体で、第１から第Ｗ番目のプリコードされたパイロットグループを受信して良い。端末装置が、ｉ番目のＲＢグループの中の第１から第Ｗ番目のプリコードされたパイロットグループのうちのｉ番目のプリコードされたパイロットグループを受信する例が、詳細な説明のために使用される。端末装置により受信されたｉ番目のプリコードされたパイロットグループの中のｒ番目のプリコードされたパイロットはｙｉｒであり、ｙｉｒ＝ＨｉＰｉｒｘｒである。ｘｒは、プリコードされるべきパイロットグループの中のｒ番目のプリコードされるべきパイロットである（ｒは１からＫまでの任意の整数である）。Ｐｉｒｘｒは、第１から第Ｗ番目のプリコードされたパイロットグループのうちのネットワーク装置により送信されるｉ番目のプリコードされたパイロットグループの中のｒ番目のプリコードされたパイロットである。ｉ番目のＲＢグループの中で送信される任意のデータにより経験されるチャネル状態は、チャネル行列Ｈｉを用いることにより反映される。したがって、ｉ番目のＲＢグループの中でネットワーク装置により送信されるｉ番目のプリコードされたパイロットグループの中のｒ番目のプリコードされたパイロットがチャネル状態により影響を受けた後に、端末装置により受信されるｉ番目のプリコードされたパイロットグループの中のｒ番目のプリコードされたパイロットはｙｉｒである。Ｐｉｒは、ｘｒをプリコードするためにネットワーク装置により使用されるプリコーディングベクトルである。
【００９４】
任意的に、本実施形態が実施される前に、ネットワーク装置及び端末装置は、予め、交渉により各ＲＢグループを決定する。代替で、ネットワーク装置及び端末装置は、予め、各パイロット（又はプリコードされたパイロット）を送信するために使用される各ＲＢ及び送信位置を指定する。例えば、Ｓ３０２で、ネットワーク装置は、Ｓ番目の（Ｓは１からＮまでの任意の整数）サブコードブックを使用することにより、パイロットグループ（つまり、プリコードされるべきパイロットグループ）の中の第１からＫ番目のパイロット（プリコードされるべきパイロット）をプリコードし、第１からＫ番目の対応するプリコードされたパイロットを得る。その後に、ネットワーク装置は、プリコードされたパイロットを送信するために使用され及びｉ番目のＲＢグループの中にあるＫ個の送信位置の中で、第１から第Ｋ番目のプリコードされたパイロットを送信する。したがって、端末装置は、プリコードされたパイロットを送信するために使用されるＫ個の送信位置の中でＫ個のプリコードされたパイロットを受信し、予め、Ｋ個のプリコードされるべきパイロットを知る。例えば、端末装置は、予め、ネットワーク装置が、ｑ番目（ｑは正整数であり、ｉ番目のＲＢグループ内の送信位置の合計数より大きくない）の送信位置にあるｉ番目のプリコードされたパイロットグループの中でｒ番目のプリコードされたパイロットを送信することを知る。ｑ番目の送信位置にある端末装置により受信されたプリコードされたパイロットは、ｙｉｒである。そして、端末装置は、ｉ番目のＲＢグループの中のｑ番目の送信位置でネットワーク装置により送信されたプリコードされたパイロットが、プリコードされるべきパイロットｘｒをプリコードすることにより得られることを知る。したがって、端末装置は、式
【数１】
0006472886.tif 000002
に従い、ｙｉｒに対応する等価なチャネル値ＨｉＰｉｒを決定し、ｉ番目のプリコードされたＲＢグループの中のＫ個の受信したプリコードされたパイロットに対応するＫ個の等価なチャネル値を更に決定する。
【００９５】
さらに、等価なチャネル値は、端末装置により受信されたプリコードされたパイロットの、プリコードされるべきパイロットとチャネルノイズとの和に対する比であり、例えば
【数２】
0006472886.tif 000003
として数学的に表現できる。ｙｉｒに対応する等価なチャネル値が決定される。Ｎ０はチャネルノイズである。
【００９６】
別のＲＢグループについて、Ｓ３０４は、ｉ番目のＲＢグループの例を参照することにより実行されて良い。
【００９７】
Ｃ２。端末装置は、Ｋ個の等価なチャネル値の中の最大値を決定して良い。もちろん、最大値は、実施過程の中で使用されなくて良い。例えば、２番目の最大値が使用されて良い。
【００９８】
柔軟に、１又は複数の最大値があって良い。例えば、端末装置は、Ｋ個の等価なチャネル値の中の１つの最大値を最大値として決定して良く、又はＫ個の等価なチャネル値の中の最初のＺ個（Ｚは正整数であり且つＫより小さい）の最大値を最大値として決定して良い。
【００９９】
Ｃ３。端末装置は、最大値に対応するプリコードされたパイロットが、任意のプリコードされたパイロットグループに含まれるＫ個のプリコードされたパイロットの中のプリコードされたパイロットであることを決定する。
【０１００】
任意のプリコードされたパイロットグループに含まれるＫ個のプリコドされたパイロットの中のプリコードされたパイロットが決定された後、フィードバックされる必要のあるプリコーディング情報が決定されて良い。例えば、Ｃ１からＣ３に従い、ｙｉｒに対応する等価なチャネル値が最大値であると決定されると、端末装置は、ｙｉｒがｉ番目のプリコードされたパイロットグループの中のＫ個のプリコードされたパイロットのうちのプリコードされたパイロットであることを決定する。Ｐｉｒｘｒがチャネル状態を経験した後に、ｙｉｒが形成されることが理解できる。したがって、最大値に対応するプリコードされたパイロットは、Ｐｉｒｘｒでもある。しかしながら、前述のＣ１からＣ３は、端末装置により実行され、端末装置の観点から、最大値に対応するプリコードされたパイロットはｙｉｒである。さらに、Ｓ３０４で決定され及びｉ番目のプリコードされたパイロットグループのものであるプリコーディング情報は、ｒである。つまり、ネットワーク装置は、ｉ番目のＲＢグループの中でネットワーク装置により送信されたｒ番目のプリコードされたパイロットのインデックスを通知される。つまり、ネットワーク装置は、ｉ番目のＲＢグループの中で端末装置により受信されたｒ番目のプリコードされたパイロットのインデックスを通知される。（ｙｉｒは、Ｐｉｒｘｒがチャネル状態を経験した後に形成される。ネットワーク装置では、送信されたプリコードされたパイロットＰｉｒｘｒのインデックスはｒであり、端末装置により受信されたプリコードされたパイロットｙｉｒのインデックスと同じである。）
【０１０１】
代替で、Ｓ３０４で決定されたｉ番目のプリコードされたパイロットグループのプリコーディング情報がｒであるとき、ｒは、プリコーディングベクトルのインデックスとして考えられる。ネットワーク装置は、Ｓ番目のサブコードブックの中のプリコーディングベクトルＰｉｒを使用することにより、ｘｒをプリコードし、ｒ番目のプリコードされたパイロットを得る。したがって、プリコーディング情報ｒを受信すると、ネットワーク装置は、Ｓ番目のサブコードブックの中で、ｒ番目のプリコードされたパイロットを得るために使用されるプリコーディングベクトルＰｉｒ、つまり、プリコードされたパイロットＰｉｒｘｒ（又はｙｉｒ）に対応するプリコーディングベクトルを決定できる。したがって、ｒは、プリコーディングベクトルＰｉｒのインデックスでもある。
【０１０２】
更に留意すべきことに、説明を容易にするために、ｘｒをプリコードするためにネットワーク装置により使用されるプリコーディングベクトルは、Ｐｉｒとして記述される。つまり、Ｐｉｒは、ｘｒをプリコードするために使用されるプリコーディングベクトルだけを示す。Ｓ番目のサブコードブックの中のプリコーディングベクトルは指定された順序であるが、ＰｉｒはＳ番目のサブコードブックの中のｒ番目のプリコーディングベクトルに限定されない。柔軟に、ネットワーク装置がプリコーディングベクトルを選択すると、Ｐｉｒは、具体的には、Ｓ番目のサブコードブックの中にあり且つｘｒをプリコードするためにネットワーク装置により選択される任意のプリコーディングベクトルであって良い。
【０１０３】
任意的に、Ｓ３０４を実行するとき、端末装置は、さらに、ＲＢグループに対応するＣＱＩ（channel  quality  indication、チャネル品質指示）をフィードバックする。
【０１０４】
さらに留意すべきことに、各プリコードされたパイロットグループのプリコーディング情報がパイロットインデックスを含むとき、プリコーディング情報のフィードバックを完了すると、端末装置は、各プリコードされたパイロットに対応するプリコーディングベクトルの特定の内容を知る必要がなく、計算によりネットワーク装置により送信されたプリコードされたパイロットの特定の内容又はプリコードされたパイロットにより経験されたチャネル状態（チャネル行列）を得る必要がない。端末装置は、Ｋ個の受信したプリコードされたパイロットに従いＫ個の等価なチャネル値を決定するだけでよく、その後に、Ｋ個の等価なチャネル値の中の最大値に従いプリコーディング情報のフィードバックを完了して良い。
【０１０５】
任意的に、ネットワーク装置がＷ個のプリコードされたパイロットグループのうちの各プリコードされたパイロットグループのプリコーディング情報を受信した後に、ネットワーク装置は、以下のステップを更に実行する。
【０１０６】
Ｓ３０５。ネットワーク装置は、プリコードされたパイロットグループのものであり且つ端末装置によりフィードバックされるプリコーディング情報に従い、プリコードされたパイロットグループを送信するために使用されるＲＢグループの好適なプリコーディングベクトルを決定する。
【０１０７】
ｉ番目のＲＢグループが一例として使用される。ｉ番目のＲＢグループの中のプリコードされたパイロットグループのものであり且つＳ３０４で受信されたプリコーディング情報がｒであるとき、プリコードされたパイロットＰｉｒｘｒを得るために使用されるプリコーディングベクトルＰｉｒは、好適なプリコーディングベクトルである。つまり、Ｓ番目のサブコードブックの中のｒ番目のプリコーディングベクトルＰｉｒは、好適なプリコーディングベクトルとして直接決定されて良い。
【０１０８】
Ｓ３０６。ネットワーク装置は、ＲＢグループの好適なプリコーディングベクトルを使用することにより、各ＲＢグループの中の送信されるべきデータをプリコードする。
【０１０９】
各ＲＢグループの好適なプリコーディングベクトルは、ＲＢグループに適応する。したがって、特定のＲＢグループをスケジューリングすることにより端末装置へデータを送信するとき、ネットワーク装置は、ＲＢグループに適応する好適なプリコーディングベクトルを使用することにより送信されるべきデータをプリコードする。したがって、チャネル状態は、送信過程においてデータに対して比較的小さな影響しか有しない。
【０１１０】
本実施形態では、ネットワーク装置は、プリコーディングコードブックを複数のサブコードブックに分割し、各サブコードブックの中のプリコーディングベクトルの量は比較的小さい。したがって、各ＲＢグループの中でネットワーク装置により送信されるパイロット信号の量は削減され、各ＲＢグループの中のパイロットオーバヘッドが削減される。このように、チャネル測定が完了する間にデータ送信のために使用されるリソースは追加され、したがって、通信システムの通信能力が向上される。
【０１１１】
図６は、本発明によるプリコーディング情報取得方法の実施形態４の概略フローチャートである。図６に示すように、本実施形態は、実施形態１から実施形態３に基づき更なる説明を与える。
【０１１２】
Ｓ４０１。ネットワーク装置は、Ｗ個のプリコードされたパイロットグループのうちの任意の１つについて、端末装置によりフィードバックされるプリコーディング情報に従い、Ｎ個のサブコードブックを更新する。
【０１１３】
通信ネットワークの中に複数の端末装置が存在することが理解できる。ネットワーク装置及び各端末装置は、ダウンリンクサブフレームにおいて、Ｓ３０１からＳ３０４を実行する。つまり、ネットワーク装置は、予め設定されるフィードバックの量の中で、Ｗ個のプリコードされたパイロットグループのうちの任意の１つについて各端末装置によりフィードバックされるプリコーディング情報に従い、Ｎ個のサブコードブックの中の置換されるべきプリコーディングベクトルを決定する。
【０１１４】
具体的には、ネットワーク装置は、各ダウンリンクサブフレームの中のＷ個のＲＢグループの各々の中で、端末装置へ、ネットワーク装置によりプリコードされたパイロットグループを送信して良い。その後に、ネットワーク装置は、各端末装置により複数回フィードバックされるプリコーディング情報に関する統計を連続的に収集して良く、Ｎ個のサブコードブックの中の置換されるべきプリコーディングベクトルを決定する。置換されるべきプリコーディングベクトルは次の条件を満たさなければならない：ネットワーク装置により置換されるべきプリコーディングベクトルを使用することにより得られたパイロットのものであるインデックスは、予め設定されたフィードバック量の中で端末装置によりフィードバックされる全てのプリコーディング情報に含まれない、あるいは、置換されるべきプリコーディングベクトルのインデックスは、予め設定されたフィードバック量の中で任意の端末装置によりフィードバックされるプリコーディング情報に含まれない。つまり、置換されるべきプリコーディングベクトルは、予め設定されたフィードバック量の中で端末装置によりフィードバックされないプリコーディング情報に関連するプリコーディングベクトルである。置換されるべきプリコーディングベクトルは、比較的粗悪なプリコーディング性能を有し、サブコードブックを更新するために置換される必要のあることが分かる。
【０１１５】
例えば、ネットワーク装置は、統計収集により、ネットワーク装置により第２サブコードブックの中のＫ番目のプリコーディングベクトルを使用することにより得られるプリコードされたパイロットのものであるインデックスが、５回のフィードバックの中で２個の端末装置によりフィードバックされた全てのプリコードされたパイロットのインデックスに含まれないことを知る。したがって、第２サブコードブックの中のＫ番目のプリコーディングベクトルが置換されるべきプリコーディングベクトルであると決定されて良い。あるいは、ネットワーク装置は、統計収集により、第２サブコードブックの中のＫ番目のプリコーディングベクトルのインデックスが、５回のフィードバックの中で２個の端末装置によりフィードバックされる全てのプリコーディングベクトルのインデックスに含まれないことを知る。したがって、第２サブコードブックの中のＫ番目のプリコーディングベクトルは、置換されるべきプリコーディングベクトルであることが決定されて良い。
【０１１６】
Ｓ４０２。ネットワーク装置は、Ｎ個の更新されたサブコードブックを使用することにより、プリコーディング工程を実行する。
【０１１７】
サブコードブックは、プリコーディングコードブックのサブセットである。したがって、サブコードブックが更新されるとき、それはプリコーディングコードブックが更新されることと等価である。本実施形態では、ネットワーク装置は、プリコーディングベクトル又は各サブコードブックをチャネル状態の変化に基づきリアルタイムに動的に調整する。したがって、プリコーディングのためにネットワーク装置により使用されるプリコーディングベクトルとチャネル状態との間の順応性は連続的に向上され、ネットワーク装置のプリコーディング性能が向上される。
【０１１８】
さらに、ネットワーク装置は、予め設定されたフィードバック量の中でＷ個のプリコードされたパイロットグループのうちの各プリコードされたパイロットグループについて各端末装置によりフィードバックされるプリコーディング情報に従い、Ｎ個のサブコードブックの中の第１サブコードブックを更に決定して良い。そして、好適なプリコーディングベクトルとして使用され且つ第１サブコードブックに含まれるプリコーディングベクトルの中にあるプリコーディングベクトルの数量は、予め設定された値を満たす。具体的には、Ｓ３０５からＳ３０６に従い、端末装置によりフィードバックされたプリコーディング情報は、各ＲＢグループに適応する好適なプリコーディングベクトルを決定するために使用されることが分かる。例えば、ネットワーク装置は、統計収集により、第１から第Ｎ番目のサブコードブックを使用してプリコードを実行することにより得られるプリコードされたパイロットグループのものであり且つ端末装置によりフィードバックされるプリコーディング情報を得て、プリコーディング情報に従い各サブコードブックの中の好適なプリコーディングベクトルを別個に決定する。各サブコードブックは、プリコーディングコードブックのサブセットである。任意の２つの異なるサブコードブックに含まれるプリコーディングベクトルは、同じプリコーディングベクトルを有して良い。したがって、ネットワーク装置が、各サブコードブックの中の好適なプリコーディングベクトルを決定した後に、Ｎ個の決定された好適なプリコーディングベクトルの中にあり且つ第４サブコードブック（これは、単に一例として使用される）の中のプリコーディングベクトルである好適なプリコーディングベクトルの数量が予め設定された数量を超えることを知った場合、第４サブコードブックは比較的良好なプリコーディング性能を有し、第４サブコードブックを使用してプリコードを実行することにより得られるプリコードされたパイロットグループは少なくとも２個のＲＢグループの中で送信されて良いと考えられる。つまり、ネットワーク装置は、端末装置によりフィードバックされる且つネットワーク装置により連続的に受信されるプリコーディング情報に従い、サブコードブックを柔軟に更新できる。さらに、ネットワーク装置が、フィードバックされたプリコーディング情報に従い、端末装置へパイロットグループを再び送信すると、つまり、Ｓ３０１及びＳ３０２を再び実行すると、Ｗ個のＲＢグループのうちの少なくとも２つの中で端末装置により送信されるプリコードされたパイロットグループは、同じサブコードブックを使用してプリコードを実行することにより得られる。
【０１１９】
本実施形態では、ネットワーク装置は、端末装置によりフィードバックされた受信したプリコーディング情報を使用することにより、プリコードのために使用されるサブコードブックを柔軟に調整できる。したがって、ネットワーク装置によりプリコードのために使用されるプリコーディングベクトルとチャネル状態との間の適応性は、連続的に向上され、ネットワーク装置のプリコーディング性能が向上される。
【０１２０】
図７は、本発明による装置の実施形態１の概略構造図である。図７に示すように、装置はネットワーク装置であり、以下を含む：プリコーディングモジュール１１であって、Ｎ個のプリコードされたパイロットグループを得るためにＮ個のサブコードブックを使用することにより、Ｋ個のパイロットを含むパイロットグループを別個にプリコードするよう構成され、ここで、サブコードブックはプリコーディングコードブックのサブセットであり、プリコーディングコードブックはＭ個のプリコーディングベクトルを含み、各サブコードブックはＫ個のプリコーディングベクトルを含み、Ｋは正整数であり、Ｎ及びＭは１より大きい整数であり、ＭはＫより大きい、プリコーディングモジュール１１と、
送信モジュール１２であって、Ｗ個のリソースブロックＲＢグループの各々の中で、端末装置へプリコードされたパイロットグループを送信するよう構成され、ここで、Ｗは正整数である、送信モジュール１２と、
受信モジュール１３であって、Ｗ個のプリコードされたパイロットグループのうちの任意の１つについて端末装置によりフィードバックされるプリコーディング情報を受信するよう構成される受信モジュール１３。
【０１２１】
本実施形態では、ネットワーク装置は、プリコーディングコードブックを複数のサブコードブックに分割し、各サブコードブックの中のプリコーディングベクトルの量は比較的小さい。したがって、各ＲＢグループの中でネットワーク装置により送信されるパイロット信号の量は削減され、各ＲＢグループの中のパイロットオーバヘッドが削減される。このように、チャネル測定が完了する間にデータ送信のために使用されるリソースは追加され、したがって、通信システムの通信能力が向上される。
【０１２２】
図８は、本発明による装置の実施形態２の概略構造図である。図８に示すように、本実施形態は、図７に示した実施形態に基づき更なる説明を与える。具体的には以下の通りである。
【０１２３】
Ｗ個のプリコードされたパイロットグループのうちの任意の１つについてフィードバックされるプリコーディング情報は、パイロットインデックスを有し、パイロットインデックスは、プリコードされたパイロットグループに含まれるＫ個のプリコードされたパイロットのうちのプリコードされたパイロットのインデックスである。
【０１２４】
代替で、Ｗ個のプリコードされたパイロットグループのうちの各々のプリコードされたパイロットグループについてフィードバックされるプリコーディング情報は、プリコーディングベクトルインデックスを有し、プリコーディングベクトルインデックスは、プリコードされたパイロットグループに含まれるＫ個のプリコードされたパイロットのうちのプリコードされたパイロットに対応するプリコーディングベクトルのインデックスである。さらに、任意的にＷはＮより大きい。
【０１２５】
さらに、送信モジュール１２は、端末装置にＫの値を通知するよう更に構成される。
【０１２６】
さらに、装置は、Ｗ個のプリコードされたパイロットグループのうちの任意の１つについて端末装置によりフィードバックされたプリコーディング情報に従い、Ｎ個のサブコードブックを更新するよう更に構成される。
【０１２７】
任意的に、Ｎ個のサブコードブックのうちの任意の２つのサブコードブックは異なる。
【０１２８】
柔軟に、Ｗ個のＲＢグループのうちの少なくとも２つの中で送信モジュール１２により端末装置へ送信されるプリコードされたパイロットグループは、同じサブコードブックを用いてプリコードを実行することにより得られる。
【０１２９】
柔軟に、送信モジュール１２により実行される送信する工程は、各ダウンリンクサブフレームの中のＷ個のＲＢグループの各々において実行される。
【０１３０】
本実施形態では、ネットワーク装置は、プリコーディングコードブックを複数のサブコードブックに分割し、各サブコードブックの中のプリコーディングベクトルの量は比較的小さい。したがって、各ＲＢグループの中でネットワーク装置により送信されるパイロット信号の量は削減され、各ＲＢグループの中のパイロットオーバヘッドが削減される。このように、チャネル測定が完了する間にデータ送信のために使用されるリソースは追加され、したがって、通信システムの通信能力が向上される。
【０１３１】
図９は、本発明による装置の実施形態３の概略構造図である。図９に示すように、本実施形態の装置は端末装置であり、以下を含む：
受信モジュール２１であって、Ｗ個のリソースブロックＲＢグループのうちの任意の１つの中で、ネットワーク装置により送信されるプリコードされたパイロットグループを受信するよう構成され、プリコードされたパイロットグループは、ネットワーク装置によりＮ個のサブコードブックのうちの任意の１つを用いて、Ｋ個のパイロットを有するパイロットグループをプリコードすることにより得られ、サブコードブックは、プリコーディングコードブックのサブセットであり、プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きく、Ｗは正整数である、受信モジュール２１と、
送信モジュール２２であって、任意の受信されたプリコードされたパイロットグループに従い、ネットワーク装置に、任意のプリコードされたパイロットグループのプリコーディング情報をフィードバックするよう構成される送信モジュール２２。
【０１３２】
本実施形態では、パイロットグループがサブコードブックを使用することによりプリコードされるので、各ＲＢグループについて、プリコーディングのために使用される必要のあるプリコーディングベクトルの数量は削減され、したがって、各ＲＢグループの中でネットワーク装置により送信されるパイロットの数量が削減される。したがって、端末装置は、各ＲＢグループの中の比較的少ない数量のパイロットにのみ基づき、プリコーディング情報を決定する。したがって、本実施形態では、端末装置は、プリコーディング情報のフィードバックを完了するために比較的少ない計算量しか必要としない。したがって、端末装置の負荷が軽減される。
【０１３３】
図１０は、本発明による装置の実施形態４の概略構造図である。図１０に示すように、本実施形態は、図９に示した実施形態に基づき更なる説明を与える。具体的には以下の通りである。
【０１３４】
プリコードされたパイロットグループのプリコーディング情報は、パイロットインデックスを有する。パイロットインデックスは、プリコードされたパイロットグループに含まれるＫ個のプリコードされたパイロットのうちのプリコードされたパイロットのインデックスである。代替で、プリコードされたパイロットグループのプリコーディング情報は、プリコーディングベクトルインデックスを有する。プリコーディングベクトルインデックスは、プリコードされたパイロットグループに含まれるＫ個のプリコードされたパイロットのうちのプリコードされたパイロットに対応するプリコーディングベクトルのインデックスである。
【０１３５】
柔軟に、装置は、受信したプリコードされたパイロットグループに含まれるＫ個のプリコードされたパイロットに従い、Ｋ個のプリコードされたパイロットに対応するＫ個の等価なチャネル値を決定するよう構成される決定モジュール２３を更に有する。ここで、等価なチャネル値は、端末装置により受信されたプリコードされたパイロットの、プリコードされるべきパイロットに対する比である。
【０１３６】
決定モジュール２３は、Ｋ個の等価なチャネル値の中の最大値を決定するよう構成される。
【０１３７】
決定モジュール２３は、最大値に対応するプリコードされたパイロットが、任意のプリコードされたパイロットグループに含まれるＫ個のプリコードされたパイロットの中のプリコードされたパイロットであることを決定するよう構成される。
【０１３８】
任意的に、決定モジュール２３は、受信したプリコードされたパイロットグループに含まれるＫ個のプリコードされたパイロットに従い、Ｋ個のプリコードされたパイロットに対応するＫ個の等価なチャネル値を決定するよう構成される。ここで、等価なチャネル値は、端末装置により受信されたプリコードされたパイロットの、プリコードされるべきパイロットとチャネルノイズとの和に対する比である。
【０１３９】
決定モジュール２３は、Ｋ個の等価なチャネル値の中の最大値を決定するよう構成される。
【０１４０】
決定モジュール２３は、最大値に対応するプリコードされたパイロットが、任意のプリコードされたパイロットグループに含まれるＫ個のプリコードされたパイロットの中のプリコードされたパイロットであることを決定するよう構成される。
【０１４１】
任意的に、装置は、プリコードされるべきパイロットを予め格納するよう構成される記憶モジュール２４を更に有する。
【０１４２】
受信モジュールは、ネットワーク装置により送信されるＫの値を受信するよう更に構成され、受信モジュールは、具体的には、Ｗ個のＲＢグループのうちの任意のＲＢグループの中で、Ｋ個のプリコードされたパイロットを含みネットワーク装置により送信されるパイロットグループを受信するよう構成される。
【０１４３】
本実施形態では、パイロットグループがサブコードブックを使用することによりプリコードされるので、各ＲＢグループについて、プリコーディングのために使用される必要のあるプリコーディングベクトルの数量は削減され、したがって、各ＲＢグループの中でネットワーク装置により送信されるパイロットの数量が削減される。したがって、端末装置は、各ＲＢグループの中の比較的少ない数量のパイロットにのみ基づき、プリコーディング情報を決定する。したがって、本実施形態では、端末装置は、プリコーディング情報のフィードバックを完了するために比較的少ない計算量しか必要としない。したがって、端末装置の負荷が軽減される。
【０１４４】
図１１は、本発明による装置の実施形態５の概略構造図である。図１１に示すように、装置はネットワーク装置であり、以下を含む：
プロセッサ３１であって、Ｎ個のプリコードされたパイロットグループを得るためにＮ個のサブコードブックを使用することにより、Ｋ個のパイロットを含むパイロットグループを別個にプリコードするよう構成され、ここで、サブコードブックはプリコーディングコードブックのサブセットであり、プリコーディングコードブックはＭ個のプリコーディングベクトルを含み、各サブコードブックはＫ個のプリコーディングベクトルを含み、Ｋは正整数であり、Ｎ及びＭは１より大きい整数であり、ＭはＫより大きい、プロセッサ３１と、
送信機３２であって、Ｗ個のリソースブロックＲＢグループの各々の中で、端末装置へプリコードされたパイロットグループを送信するよう構成され、ここで、Ｗは正整数である、送信機３２と、
受信機３３であって、Ｗ個のプリコードされたパイロットグループのうちの任意の１つについて端末装置によりフィードバックされるプリコーディング情報を受信するよう構成される受信機３３。
【０１４５】
さらに、Ｗ個のプリコードされたパイロットグループのうちの任意の１つについてフィードバックされるプリコーディング情報は、パイロットインデックスを有し、パイロットインデックスは、プリコードされたパイロットグループに含まれるＫ個のプリコードされたパイロットのうちのプリコードされたパイロットのインデックスである。
【０１４６】
代替で、Ｗ個のプリコードされたパイロットグループのうちの各々のプリコードされたパイロットグループについてフィードバックされるプリコーディング情報は、プリコーディングベクトルインデックスを有し、プリコーディングベクトルインデックスは、プリコードされたパイロットグループに含まれるＫ個のプリコードされたパイロットのうちのプリコードされたパイロットに対応するプリコーディングベクトルのインデックスである。
【０１４７】
柔軟に、ＷはＮより大きい。
【０１４８】
さらに、送信機３２は、端末装置にＫの値を通知するよう更に構成される。
【０１４９】
プロセッサ３１は、Ｗ個のプリコードされたパイロットグループのうちの任意の１つについて端末装置によりフィードバックされたプリコーディング情報に従い、Ｎ個のサブコードブックを更新するよう更に構成される。
【０１５０】
任意的に、Ｎ個のサブコードブックのうちの任意の２つのサブコードブックは異なる。
【０１５１】
任意的に、Ｗ個のＲＢグループのうちの少なくとも２つの中で送信機３２により端末装置へ送信されるプリコードされたパイロットグループは、同じサブコードブックを用いてプリコードを実行することにより得られる。
【０１５２】
任意的に、送信機３２により実行される送信する工程は、各ダウンリンクサブフレームの中のＷ個のＲＢグループの各々において実行される。
【０１５３】
本実施形態では、ネットワーク装置は、プリコーディングコードブックを複数のサブコードブックに分割し、各サブコードブックの中のプリコーディングベクトルの量は比較的小さい。したがって、各ＲＢグループの中でネットワーク装置により送信されるパイロット信号の量は削減され、各ＲＢグループの中のパイロットオーバヘッドが削減される。このように、チャネル測定が完了する間にデータ送信のために使用されるリソースは追加され、したがって、通信システムの通信能力が向上される。
【０１５４】
図１２は、本発明による装置の実施形態６の概略構造図である。図１２に示すように、装置は端末装置であり、以下を含む：
受信モジュール４１であって、Ｗ個のリソースブロックＲＢグループのうちの任意の１つの中で、ネットワーク装置により送信されるプリコードされたパイロットグループを受信するよう構成され、プリコードされたパイロットグループは、ネットワーク装置によりＮ個のサブコードブックのうちの任意の１つを用いて、Ｋ個のパイロットを有するパイロットグループをプリコードすることにより得られ、サブコードブックは、プリコーディングコードブックのサブセットであり、プリコーディングコードブックは、Ｍ個のプリコーディングベクトルを有し、各サブコードブックは、Ｋ個のプリコーディングベクトルを有し、Ｋは正整数であり、Ｎ及びＭは１より大きい整数であり、ＭはＫより大きく、Ｗは正整数である、受信機４１と、送信機４２であって、任意の受信されたプリコードされたパイロットグループに従い、ネットワーク装置に、任意のプリコードされたパイロットグループのプリコーディング情報をフィードバックするよう構成される送信機４２。
【０１５５】
本実施形態では、パイロットグループがサブコードブックを使用することによりプリコードされるので、各ＲＢグループについて、プリコーディングのために使用される必要のあるプリコーディングベクトルの数量は削減され、したがって、各ＲＢグループの中でネットワーク装置により送信されるパイロットの数量が削減される。したがって、端末装置は、各ＲＢグループの中の比較的少ない数量のパイロットにのみ基づき、プリコーディング情報を決定する。したがって、本実施形態では、端末装置は、プリコーディング情報のフィードバックを完了するために比較的少ない計算量しか必要としない。したがって、端末装置の負荷が軽減される。
【０１５６】
図１３は、本発明による装置の実施形態７の概略構造図である。図１３に示すように、本実施形態は、図１２に示した実施形態に基づき更なる説明を与える。具体的には以下の通りである。
【０１５７】
プリコードされたパイロットグループのプリコーディング情報は、パイロットインデックスを有する。パイロットインデックスは、プリコードされたパイロットグループに含まれるＫ個のプリコードされたパイロットのうちのプリコードされたパイロットのインデックスである。代替で、プリコードされたパイロットグループのプリコーディング情報は、プリコーディングベクトルインデックスを有する。プリコーディングベクトルインデックスは、プリコードされたパイロットグループに含まれるＫ個のプリコードされたパイロットのうちのプリコードされたパイロットに対応するプリコーディングベクトルのインデックスである。
【０１５８】
さらに、装置は、受信したプリコードされたパイロットグループに含まれるＫ個のプリコードされたパイロットに従い、Ｋ個のプリコードされたパイロットに対応するＫ個の等価なチャネル値を決定するよう構成されるプロセッサ４３を更に有する。ここで、等価なチャネル値は、端末装置により受信されたプリコードされたパイロットの、プリコードされるべきパイロットに対する比である。
【０１５９】
プロセッサ４３は、Ｋ個の等価なチャネル値の中の最大値を決定するよう構成される。
【０１６０】
プロセッサ４３は、最大値に対応するプリコードされたパイロットが、任意のプリコードされたパイロットグループに含まれるＫ個のプリコードされたパイロットの中のプリコードされたパイロットであることを決定するよう構成される。
【０１６１】
代替で、装置に含まれるプロセッサ４３は、受信したプリコードされたパイロットグループに含まれるＫ個のプリコードされたパイロットに従い、Ｋ個のプリコードされたパイロットに対応するＫ個の等価なチャネル値を決定するよう構成される。ここで、等価なチャネル値は、端末装置により受信されたプリコードされたパイロットの、プリコードされるべきパイロットとチャネルノイズとの和に対する比である。
【０１６２】
プロセッサ４３は、Ｋ個の等価なチャネル値の中の最大値を決定するよう構成される。
【０１６３】
プロセッサ４３は、最大値に対応するプリコードされたパイロットが、任意のプリコードされたパイロットグループに含まれるＫ個のプリコードされたパイロットの中のプリコードされたパイロットであることを決定するよう構成される。
【０１６４】
さらに、装置は、プリコードされるべきパイロットを予め格納するよう構成されるメモリ４４を更に有する。
【０１６５】
受信機４１は、ネットワーク装置により送信されるＫの値を受信するよう更に構成され、受信機４１は、具体的には、Ｗ個のＲＢグループのうちの任意のＲＢグループの中で、Ｋ個のプリコードされたパイロットを含みネットワーク装置により送信されるパイロットグループを受信するよう構成される。
【０１６６】
本実施形態では、パイロットグループがサブコードブックを使用することによりプリコードされるので、各ＲＢグループについて、プリコーディングのために使用される必要のあるプリコーディングベクトルの数量は削減され、したがって、各ＲＢグループの中でネットワーク装置により送信されるパイロットの数量が削減される。したがって、端末装置は、各ＲＢグループの中の比較的少ない数量のパイロットにのみ基づき、プリコーディング情報を決定する。したがって、本実施形態では、端末装置は、プリコーディング情報のフィードバックを完了するために比較的少ない計算量しか必要としない。したがって、端末装置の負荷が軽減される。
【０１６７】
留意すべきことに、装置の実施形態における全てのモジュール及び（プロセッサ、送信機、及び受信機のような）装置は、相応して、方法の実施形態を実行する。特定の実装の詳細事項及び技術的ソリューションについては、方法の実施形態を参照する。
【０１６８】
当業者は、方法の実施形態のステップの全部又は一部が関連するハードウェアに指示するプログラムにより実装されて良いことを理解する。プログラムは、コンピュータ可読記憶媒体に格納されて良い。プログラムが実行するとき、方法の実施形態のステップが実行される。前述の記憶媒体は、ROM、RAM、磁気ディスク又は光ディスクのようなプログラムコードを格納可能な任意の媒体を含む。
【０１６９】
最後に、留意すべきことに、前述の実施形態は、単に本発明の技術的ソリューションを説明するためであり、本発明の範囲を限定するためではない。本発明は、前述の実施形態を参照して詳細に説明されたが、当業者は、本発明の実施形態の技術的ソリューションの範囲から逸脱することなく、彼らが前述の実施形態で説明した技術的ソリューションに変更を行い、又はそれら実施形態の一部又は全部の技術的特徴を等価に置換できることを理解する。
【図１】
0006472886.tif 000004
【図２】
0006472886.tif 000005
【図３】
0006472886.tif 000006
【図４】
0006472886.tif 000007
【図５】
0006472886.tif 000008
【図６】
0006472886.tif 000009
【図７】
0006472886.tif 000010
【図８】
0006472886.tif 000011
【図９】
0006472886.tif 000012
【図１０】
0006472886.tif 000013
【図１１】
0006472886.tif 000014
【図１２】
0006472886.tif 000015
【図１３】
0006472886.tif 000016